【事件の表示】
　特願２００９−１９７１３２「入力装置および入力装置の制御方法」拒絶査定不服審判事件〔平成２３年　３月１０日出願公開、特開２０１１−　４８６７１〕について、次のとおり審決する。
【結　論】
　本件審判の請求は、成り立たない。
【理　由】
１．手続の経緯・本願発明
　本願は、平成２１年８月２７日の出願であって、平成２２年５月６日付けで拒絶理由が通知され、これに対し、平成２２年７月１２日に手続補正がされ、平成２２年１０月１９日付けで最後の拒絶理由が通知され、さらにこれに対し平成２２年１２月２７日に手続補正がされたが、平成２３年４月１日付けで平成２２年１２月２７日付けの手続補正が却下されるとともに、同日付けで拒絶査定がされたものであって、平成２３年６月２８日に拒絶査定不服の審判が請求されるとともに、同時に手続補正がされたものである。
　そして、本願の請求項１に係る発明は、平成２３年６月２８日に提出された手続補正書の特許請求の範囲の請求項１に記載された事項により特定される以下のとおりのものである（以下「本願発明」という。）。
　
　「タッチ入力を検出するタッチセンサと、
　一端が前記タッチセンサに装着され、反対の他端が開放された圧電素子と、
　前記反対の他端が開放された圧電素子の出力信号に基づいて前記タッチセンサのタッチ面に対する押圧荷重を検出し、該検出される押圧荷重が触感を呈示する基準を満たした際に、前記タッチ面を押圧している押圧対象に対して触感を呈示するように前記反対の他端が開放された圧電素子を駆動する制御部と、
　を備えることを特徴とする入力装置。」
　
２．引用例
　原査定の拒絶理由に引用された特開平１１−２１２７２５号公報（以下、「引用例１」という。）には図面とともに以下の技術事項が記載されている（下線は当審において付与。以下同様。）。
　
ａ）「【０００８】
【発明の目的】この発明は上記のような従来技術の問題点を解決するためになされたものであり、操作部が実質的な押し込みストロークを持たなくても確実な操作感を与えることができる情報表示装置を提供することを第１の目的とする。
【０００９】この発明の第２の目的は、表示面や操作面の付近の部品点数を減少させたシンプルな情報表示装置を実現することである。」
　
ｂ）「【００４２】図２において、この情報表示装置１００は略箱状のハウジング１０１を備えており、このハウジング１０１に収容された部分は、操作者側に面した表示操作部ＤＰと、その裏側の制御回路部ＣＴとに大別されている。」
　
ｃ）「【００４４】図３は、図２のIII−III断面のうち表示操作部ＤＰに相当する部分を示す一部省略断面図である。また、図４は図３のIV方向から見た透視平面図である。図３において、
この表示操作部ＤＰは窓４１を有するケース４０内に液晶表示パネル２０を収容しており、
【００４５】図４に示すように、
液晶表示パネル２０の四隅にそれぞれ隣接して、４個の圧電素子Ｅ1〜Ｅ4が配置されている。
　
ｄ）「【００８１】＜1-4. 圧電素子Ｅ1〜Ｅ4による押圧力検知＞図７において、操作パネル１０に結合されている圧電素子Ｅ1〜Ｅ4のそれぞれの端子電圧ｅk（ｋ＝１〜４）は演算部５１に並列的に与えられる。」
　
ｅ）「【００８５】これらの結果、
演算部５１からは、操作位置Ｐ（ｘ，ｙ）を示す操作位置信号ＳＰと、操作力Ｆを示す操作力信号ＳＦとが出力される。
　
ｆ）「【００９１】＜1-6. 操作力の判定＞一方、図７において、
操作力Ｆを示す操作力信号ＳＦは操作力判定部５４へ与えられる。
　
ｇ）「【００９４】最小閾値Ｆh1以上の範囲の４つの操作力区分Ｆ1〜Ｆ4を「有効操作力区分」と呼ぶとき、
操作力判定部５４は、その中の比較判定部５４ａ（図１２）において、操作力信号ＳＦで指示されているその時点での操作力Ｆを操作力閾値Ｆh1〜Ｆh4をそれぞれ比較し、その時点での操作力Ｆが有効操作力区分Ｆ1〜Ｆ4のいずれにあるかを判定する。
【００９５】
【数１９】Ｆh1 ≦ Ｆ ＜ Ｆh2
であれば、有効操作力区分Ｆ1での押圧と判定し、
【００９６】
【数２０】Ｆh4 ≦ Ｆ
であれば、有効操作力区分Ｆ4での押圧と判定する。
【００９７】
また、操作力Ｆが操作力区分Ｆ1〜Ｆ4のいずれにもないとき、
【００９８】
【数２１】Ｆ＜Ｆh1
であるときには、
操作力区分Ｆ0での押圧（「実質的な押圧操作はない」）と判定する。
　
ｈ）「【０１０１】また、
有効操作力区分Ｆ1〜Ｆ4の各判定部からの信号は操作力判定信号ＦＢとして図７の駆動モード選択部７２に出力される。
　
ｉ）「【０１０７】＜1-8. 駆動モード選択＞一方、領域判定信号ＳＲと操作力判定信号ＦＢとを入力した図７の
振動モード選択部７２は、操作中領域および操作力Ｆの区分に応じた駆動モードを選択する。
【０１０８】
具体的には、図１３に示すように、領域判定信号ＳＲが領域Ｒ1〜Ｒ0のいずれに属するかを第１の指標とし、操作力判定信号ＦＢが表現している区分が操作力区分Ｆ1〜Ｆ4のいずれに属するかを第２の指標として、それら第１と第２の指標の組合せに対してどの駆動モードを選択すべきかが、テーブル７２ａにあらかじめ格納されている。
　
ｊ）「【０１１２】このようにして領域判定信号ＳＲと操作力判定信号ＦＢとにってひとつの
駆動モードが選択されると、その駆動モードを規定するパラメータ値が図１４の駆動モード記憶部７３から読出され、図７の圧電素子駆動部７５に与えられる。それに応じて圧電素子Ｅ1〜Ｅ4に振動電圧が与えられて圧電素子Ｅ1〜Ｅ4が振動または微少変形するとともに、その振動または微少変位が操作面１１に伝播する。これは、操作者が操作領域Ｒ1〜Ｒ7のいずれかを所定以上の力で押下したときに、操作面１１を振動ないしは微少にスライドさせることにより、その操作が受け付けられたことを操作者に触覚的に知らせるという作用を生じさせる。
　
ｋ）「【０１３３】図１５において、この第２実施形態の表示操作部ＤＰは操作者による操作位置の特定をタッチパネル１０Ｔによって行う。このタッチパネル１０Ｔは、たとえば抵抗膜式のものであり、透明基板上にＸＹ面内でＭ行Ｎ列の直行マトリクス状に配置された透明電極を有している。それらの各交点がスイッチ部となっており、マトリクスの各セルを単位としてＸＹ方向の操作位置信号を出力する。」
　
ｌ）「【０１３６】図１５の表示操作部ＤＰの残余の構成は図３のものと同様であるが、この図１５の
表示操作部ＤＰでは操作位置の検出はタッチパネル１０Ｔが行い、圧電素子Ｅ1〜Ｅ4は操作面１１への操作力の検出と、操作面１１への力学的駆動との目的で使用される。
　
ｍ）「【０１４０】一方、
圧電素子Ｅ1〜Ｅ4のそれぞれの端子電圧ｅk（ｋ＝１〜４）は演算部５１Ｆに並列的に与えられるが、
圧電素子Ｅ1〜Ｅ4の出力電圧からはトータルな操作力Ｆだけを演算すればよい
【０１４１】演算部５１Ｆの出力である操作力信号ＳＦは操作力判定部５４に出力されて、その操作力Ｆがいずれの操作力区分Ｆ0〜Ｆ4（図１１）のうちのいずれに属するかが判定される。
【０１４２】以後の構成および動作は第１実施形態と同様である。」
　
　上記引用例記載事項及び図面の記載を総合勘案すると、上記引用例１（主として第２実施形態）には以下の発明（以下、「引用発明」という。）が記載されているものと認められる。
　
＜引用発明＞
　「表示操作部ＤＰは窓４１を有するケース４０内に液晶表示パネル２０を収容しており、
　液晶表示パネル２０の四隅にそれぞれ隣接して、４個の圧電素子が配置されており、
　表示操作部ＤＰでは操作位置の検出はタッチパネル１０Ｔが行い、圧電素子は操作面１１への操作力の検出と、操作面１１への力学的駆動との目的で使用され、
　圧電素子のそれぞれの端子電圧は演算部５１Ｆに与えられ、圧電素子の出力電圧からはトータルな操作力Ｆだけを演算し、
　演算部５１からは、操作力Ｆを示す操作力信号ＳＦが出力され、
　操作力信号ＳＦは操作力判定部５４へ与えられ、
　操作力判定部５４は、操作力信号ＳＦで指示されている操作力Ｆを操作力閾値Ｆh1〜Ｆh4とそれぞれ比較し、有効操作力区分Ｆ1〜Ｆ4のいずれにあるかを判定し、
　また、操作力Ｆが操作力区分Ｆ1〜Ｆ4のいずれにもないとき、操作力区分Ｆ0での押圧（「実質的な押圧操作はない」）と判定し、
　有効操作力区分Ｆ1〜Ｆ4の各判定部からの信号は操作力判定信号ＦＢとして駆動モード選択部７２に出力され、
　振動モード選択部７２は、操作力Ｆの区分に応じた駆動モードを選択し、
　具体的には、操作力判定信号ＦＢが表現している区分が操作力区分Ｆ1〜Ｆ4のいずれに属するかを指標として、どの駆動モードを選択すべきかが、テーブル７２ａにあらかじめ格納されており、
　駆動モードが選択されると、その駆動モードを規定するパラメータ値が圧電素子駆動部７５に与えられ、それに応じて圧電素子に振動電圧が与えられて圧電素子が振動または微少変形するとともに、その振動または微少変位が操作面１１に伝播し、
　その操作が受け付けられたことを操作者に触覚的に知らせるという作用を生じさせる、
　情報表示装置。」
　
　原査定の拒絶理由に引用された特開２００７−８６９９０号公報（以下、「引用例２」という。）には図面とともに以下の技術事項が記載されている。
　
ｎ）「【００１７】
  
このタッチパネル１０は、透明な樹脂基板やガラス基板等の四角形のパネル１２と、このパネル１２を収容した額縁１４を備えている。パネル１２には、その裏面の四方の辺に沿って、長尺状の圧電素子１６が一体に固定されている。
　
ｏ）「【００１８】
  タッチパネル１０の圧電素子１６は、パネル１２の押圧を検知して位置を求める押圧位置演算手段である押圧位置検知回路２０に接続されている。そして、各圧電素子１６は、その出力がマルチプレクサ２２に接続され、所定の順の信号に処理されて出力される。マルチプレクサ２２の出力は、Ａ／Ｄ変換器２４に入力し、ディジタル信号として出力され、専用処理回路やコンピュータと処理ソフト等による演算処理装置２６に出力される。
演算処理装置２６では、後述するように各圧電素子１６の歪みを基に、パネル１２上での押圧位置を求め、
　
ｐ）「【００１９】
  また、
各圧電素子１６は、その圧電素子１６に振動を発生させ、押圧者に操作感を与えるフォース・フィードバック機能を付与するための圧電素子駆動手段である昇圧回路３０の出力に接続されている。
　
ｑ）「【００２０】
  次に、この実施形態のタッチパネル１０の押圧位置の判別方法について、以下に説明する。４方の圧電素子１６を各々圧電素子Ａ，Ｂ，Ｃ，Ｄとすると、
例えば、パネル１２の中央部を押した場合、圧電素子Ｃ，Ｄが大きく撓み、圧電素子Ａ，Ｂは相対的に小さく撓む。
　
ｒ）「【００２３】
  なお、
この発明のタッチパネルは上記実施形態に限定されるものではなく、光学式タッチパネルと組み合わせても良いものである。その場合、ディスプレイ画面を構成するパネル周縁に沿って長尺状の圧電素子を固定し、この圧電素子の出力を基にパネルへの押圧を検知する押圧検知手段である押圧検知回路を設け、前記パネルは光学式タッチパネルであり、縦横に互いに対向した受光素子と発光素子を備え、前記受光素子と発光素子により前記パネル上での光の遮蔽位置を検知するとともに、前記押圧検知回路により前記パネルの押圧を検知した場合に、遮蔽物による前記パネル上での光の遮蔽位置を位置情報として出力するようにしても良い。
　
ｓ）「【００２４】
  これにより、光学式タッチパネルの欠点である誤操作が解消され、位置精度の高いタッチパネルの操作を正確に行うことがでる。この場合の圧電素子は、パネルの少なくとも１辺に設ければよいが、２辺またはそれ以上に設けるとなお良い。
さらに、前記圧電素子と押圧検知回路により前記パネル上での光の遮蔽位置を検知した際に、前記圧電素子に電圧を印加して振動させる圧電素子駆動手段を備えたものでも良い。
　
３．対比
　本願発明と引用発明とを対比する。
（３−１）引用発明は、「操作位置の検出はタッチパネル１０Ｔが行」うものであるから、引用発明の「タッチパネル」は、本願発明の「タッチ入力を検出するタッチセンサ」に相当する。
（３−２）引用発明の「圧電素子」は、本願発明の「圧電素子」に相当する。
（３−３）引用発明の「圧電素子のそれぞれの端子電圧は演算部５１Ｆに並列的に与えられ、圧電素子の出力電圧からはトータルな操作力Ｆだけを演算」する点は、本願発明の「前記反対の他端が開放された圧電素子の出力信号に基づいて前記タッチセンサのタッチ面に対する押圧荷重を検出」する点において共通する。
（３−４）引用発明の「操作力判定部５４は、操作力信号ＳＦで指示されている操作力Ｆを操作力閾値Ｆh1〜Ｆh4とそれぞれ比較し、有効操作力区分Ｆ1〜Ｆ4のいずれにあるかを判定」する点、「操作力Ｆが操作力区分Ｆ1〜Ｆ4のいずれにもないとき、操作力区分Ｆ0での押圧（「実質的な押圧操作はない」）と判定」する点から、引用発明は、操作力Ｆが所定の基準を満たした際に、操作力区分Ｆ１〜Ｆ４のいずれかに判定しているものといえる。
　さらに、引用発明の「操作力判定信号ＦＢが表現している区分が操作力区分Ｆ1〜Ｆ4のいずれに属するかを指標として、どの駆動モードを選択すべきかが、テーブル７２ａにあらかじめ格納され」る点、「駆動モードが選択されると、その駆動モードを規定するパラメータ値が圧電素子駆動部７５に与えられ、それに応じて圧電素子に振動電圧が与えられて圧電素子が振動または微少変形するとともに、その振動または微少変位が操作面１１に伝播」する点、および、「その操作が受け付けられたことを操作者に触覚的に知らせるという作用を生じさせる」点から、引用発明は、操作力ＦがＦ１〜Ｆ４に属している際に、触感を呈示するように圧電素子を駆動するものと言える。
　したがって、引用発明は本願発明と、「該検出される押圧荷重が触感を呈示する基準を満たした際に、」「前記タッチ面を押圧している押圧対象に対して触感を呈示するように」「圧電素子を駆動する」点において共通している。
（３−５）引用発明は「圧電素子のそれぞれの端子電圧は演算部５１に与えられ」、「演算部５１からは、操作力Ｆを示す操作力信号ＳＦが出力され」、「操作力信号ＳＦは操作力判定部５４へ与えられ」、「有効操作力区分Ｆ1〜Ｆ4の各判定部からの信号は操作力判定信号ＦＢとして駆動モード選択部７２に出力され」、「振動モード選択部７２は、操作中領域および操作力Ｆの区分に応じた駆動モードを選択」、「その駆動モードを規定するパラメータ値が、圧電素子駆動部７５に与えられ、それに応じて圧電素子に振動電圧が与えられて圧電素子が振動または微少変形する」ものであるから、引用発明における「演算部」、「操作力判定部」、「駆動モード選択部」、「圧電素子駆動部」が本願発明における「制御部」に相当するといえる。
（３−６）引用発明の「情報表示装置」は本願発明の「入力装置」に相当する。
　
　したがって、本願発明と引用発明とは、次の点で一致する。
　
＜一致点＞
「タッチ入力を検出するタッチセンサと、
圧電素子と、
圧電素子の出力信号に基づいて前記タッチセンサのタッチ面に対する押圧荷重を検出し、該検出される押圧荷重が触感を呈示する基準を満たした際に、前記タッチ面を押圧している押圧対象に対して触感を呈示するように圧電素子を駆動する制御部と、
　を備えることを特徴とする入力装置」
　
　また、両者は次の点で相違する。
　
［相違点］
　本願発明は、圧電素子が「一端が前記タッチセンサに装着され」、「反対の他端が開放された」ものであるのに対し、引用発明はそのような構成がない点。
　
４．当審の判断
［相違点について］
　そこで、上記相違点について検討すると、引用例２には、記載事項ｒの「この発明のタッチパネルは上記実施形態に限定されるものではなく、光学式タッチパネルと組み合わせても良いものである。その場合、ディスプレイ画面を構成するパネル周縁に沿って長尺状の圧電素子を固定し、この圧電素子の出力を基にパネルへの押圧を検知する押圧検知手段である押圧検知回路を設け、前記パネルは光学式タッチパネルであり、縦横に互いに対向した受光素子と発光素子を備え、前記受光素子と発光素子により前記パネル上での光の遮蔽位置を検知するとともに、前記押圧検知回路により前記パネルの押圧を検知した場合に、遮蔽物による前記パネル上での光の遮蔽位置を位置情報として出力するようにしても良い」、記載事項ｓの「前記圧電素子と押圧検知回路により前記パネル上での光の遮蔽位置を検知した際に、前記圧電素子に電圧を印加して振動させる圧電素子駆動手段を備えたものでも良い」、および、記載事項ｐの「各圧電素子１６は、その圧電素子１６に振動を発生させ、押圧者に操作感を与えるフォース・フィードバック機能を付与するための圧電素子駆動手段である昇圧回路３０の出力に接続されている」との記載から、タッチパネルに固定された圧電素子を用いて押圧荷重を検出した際に、触感を呈示するように圧電素子を駆動する構造が記載されている。
　さらに、記載事項ｎの「このタッチパネル１０は、透明な樹脂基板やガラス基板等の四角形のパネル１２と、このパネル１２を収容した額縁１４を備えている。パネル１２には、その裏面の四方の辺に沿って、長尺状の圧電素子１６が一体に固定されている」、記載事項ｏの「演算処理装置２６では、後述するように各圧電素子１６の歪みを基に、パネル１２上での押圧位置を求め」、および、記載事項ｑの「例えば、パネル１２の中央部を押した場合、圧電素子Ｃ，Ｄが大きく撓み、圧電素子Ａ，Ｂは相対的に小さく撓む」との記載から、引用例２に記載された圧電素子は一端がタッチセンサの裏面に装着されており、パネルが押された際に圧電素子が撓む空間を裏面側に有している、すなわち、反対の他端が開放された構造となっているものと認められる。
　そして、引用発明及び引用例２は、表示装置に設けた圧電素子を押圧荷重の検出、および、触感の呈示に用いる技術である点で、作用・機能が共通するものであるから、引用発明に、引用例２記載の技術を適用することで、引用発明の圧電素子を一端が前記タッチセンサに装着され、反対の他端が開放された圧電素子とすることは、当業者が容易になし得ることである。
　
　さらに、本願発明の効果も、引用発明、及び、引用例２記載の技術に基づいて、当業者が予想しうる範囲内のものである。
　
５．むすび
　以上のとおり、本願発明は、引用発明、及び、引用例２記載の技術に基づいて、当業者が容易に発明できた発明であるから、特許法第２９条第２項の規定により特許を受けることができない。
　よって、結論のとおり審決する。